(57)【要約】【課題】通信開始時にコンピュータ側で必要とされる処理量を低減するとともに、携帯機器の省電力化を実現すること。【解決手段】無線ＬＡＮネットワークを経由して携帯機器１０とＰＣ２０間で通信をする無線通信方法において、予め携帯機器１０とＰＣ２０間でデータ送信を行い、通信に必要な通信設定情報を設定しておく通信設定ステップと、無線ＬＡＮネットワークを経由して、携帯機器１０からＰＣ２０との通信を起動する起動ステップと、無線ＬＡＮネットワークを経由して、携帯機器１０とＰＣ２０との間で通信を行う通信ステップと、を有する。【選択図】        図１
2006157396.tif 000002
【特許請求の範囲】
【請求項１】
無線ＬＡＮネットワークを経由して携帯機器とコンピュータ間で通信をする無線通信方法において、
予め上記携帯機器と上記コンピュータ間でデータ送信を行い、通信に必要な通信設定情報を設定しておく通信設定ステップと、
無線ＬＡＮネットワークを経由して、上記携帯機器から上記コンピュータとの通信を起動する起動ステップと、
上記無線ＬＡＮネットワークを経由して、上記携帯機器と上記コンピュータとの間で通信を行う通信ステップと、
を有することを特徴とする無線通信方法。
【請求項２】
上記通信設定ステップにおいて、上記携帯機器と上記コンピュータ間のデータ送信は、有線ケーブルを介してされることを特徴とする請求項１に記載の無線通信方法。
【請求項３】
上記通信ステップが完了した後、上記携帯機器の電源を自動的に切る切断ステップをさらに有することを特徴とする請求項１に記載の無線通信方法。
【請求項４】
上記通信ステップで用いられる通信手順は、上記コンピュータ側からデータ要求を出して通信を開始するものであることを特徴とする請求項１に記載の無線通信方法。
【請求項５】
無線ＬＡＮネットワークを経由してコンピュータと通信可能な携帯機器であり、
通信に必要な初期設定情報を予め上記携帯機器から上記コンピュータへ送信して設定しておく初期設定機能と、
無線ＬＡＮネットワークを経由して、上記携帯機器から上記初期情報が送信されたコンピュータとの通信を起動する起動機能と、
上記無線ＬＡＮネットワークを経由して、上記携帯機器と、上記起動された通信の相手である上記コンピュータとの間で通信を行う通信機能と、
を有することを特徴とする携帯機器。
【発明の詳細な説明】
【技術分野】
【０００１】
本発明は、無線通信方法及び携帯機器に関するものである。
【背景技術】
【０００２】
携帯機器とコンピュータ（特に、サーバアプリケーションがインストールされたＰＣ）とを無線で接続するプロトコル仕様はいくつか知られている。例えばＴＣＰ/ＩＰベースのホームネットワーク向けのプロトコル仕様として、ＵＰｎＰ（Universal Plug and Play）が知られている。ＵＰｎＰは特開2003-8583号公報などに開示されている。
【特許文献１】特開2003-8583号公報
【発明の開示】
【発明が解決しようとする課題】
【０００３】
しかしながら、携帯機器とコンピュータ間で無線通信する場合には、通信開始にあたりコンピュータ側からデータ要求を出す必要があった。この理由の１つとしては、通信の確立において必要な設定事項が量的に多いため、一度に多くの携帯機器側から通信開始要求が出されると、コンピュータ側で処理が間に合わず、タイムアウトが発生する可能性がある。かかる事態を回避するため、携帯機器とコンピュータ間で利用可能なプロトコルにおいては、常に中央側であるコンピュータからデータ要求を出し、携帯機器がこのデータ要求に応じる手順で通信を開始するように設計されている。このようにすれば、コンピュータは常に自己の処理能力の許容する範囲で、通信を確立することができる。
【０００４】
しかし、携帯機器がコンピュータと通信を希望する場合には、携帯機器側の電源をオンにして、コンピュータからのデータ要求を待っていなければならなかった。このため、通信確立時に即時性が犠牲になるとともに、省電力の観点からも問題があった。
【０００５】
本発明は、このような課題に着目してなされたものであり、その目的とするところは、予め携帯機器とコンピュータの間で通信設定をしておくにより、通信開始時にコンピュータ側で必要とされる処理量を低減し、かつ、携帯機器からコンピュータとの通信を起動することを可能にして携帯機器の省電力化を実現した無線通信方法及び携帯機器を提供することにある。
【課題を解決するための手段】
【０００６】
上記の目的を達成するために、本発明の第１の態様は、無線ＬＡＮネットワークを経由して携帯機器とコンピュータ間で通信をする無線通信方法において、予め上記携帯機器と上記コンピュータ間でデータ送信を行い、通信に必要な通信設定情報を設定しておく通信設定ステップと、無線ＬＡＮネットワークを経由して、上記携帯機器から上記コンピュータとの通信を起動する起動ステップと、上記無線ＬＡＮネットワークを経由して、上記携帯機器と上記コンピュータとの間で通信を行う通信ステップと、を有する。
【０００７】
（作用効果）
予め携帯機器とコンピュータの間で通信設定をしておくので、コンピュータ側で通信開始時に必要とされる処理量が低減される。このため携帯機器側から通信を起動することが可能になる。
【０００８】
また、本発明の第２の態様は、第１の態様において、上記通信設定ステップにおいて、上記携帯機器と上記コンピュータ間のデータ送信は、有線ケーブルを介してされる。
【０００９】
（作用効果）
事前の設定を、確実に素早くすることが出来る。
【００１０】
また、本発明の第３の態様は、第１の態様において、上記通信ステップが完了した後、上記携帯機器の電源を自動的に切る切断ステップをさらに有する。
【００１１】
（作用効果）
携帯装置の省電力化が可能である。
【００１２】
また、本発明の第４の態様は、第１の態様において、上記通信ステップで用いられる通信手順は、上記コンピュータ側からデータ要求を出して通信を開始するものである。
【００１３】
（作用効果）
既存の「コンピュータ側からデータ要求を出して開始する通信」の手順を変更せずに、この既存手順に本発明の通信開始の技術思想を適用するだけで、本発明を簡単に実施できる。
【００１４】
また、本発明の第５の態様は、無線ＬＡＮネットワークを経由してコンピュータと通信可能な携帯機器であり、通信に必要な初期設定情報を予め上記携帯機器から上記コンピュータへ送信して設定しておく初期設定機能と、無線ＬＡＮネットワークを経由して、上記携帯機器から上記初期情報が送信されたコンピュータとの通信を起動する起動機能と、上記無線ＬＡＮネットワークを経由して、上記携帯機器と、上記起動された通信の相手である上記コンピュータとの間で通信を行う通信機能と、を有する。
【００１５】
（作用効果）
第１の態様と同等の作用効果が得られる。
【発明の効果】
【００１６】
本発明によれば、予め携帯機器とコンピュータの間で通信設定をしておくようにしたので、通信開始時にコンピュータ側で必要とされる処理量が低減され、かつ、携帯機器からコンピュータとの通信を起動することが可能になるので携帯機器の省電力化が実現される。
【発明を実施するための最良の形態】
【００１７】
まず、本発明の概略を説明する。本発明は、携帯機器とコンピュータとで無線ＬＡＮを経由して通信を開始するにあたり、予め通信の確立に必要な設定を携帯機器及び／又はコンピュータ側にしておく。これにより、携帯機器からのコンピュータとの通信を起動することが可能になり、通信開始のコンピュータ処理量を低減することができる。
【００１８】
例えば、携帯機器とコンピュータとをＵＳＢ（Universal Serial Bus）ケーブルで接続して、ネットワークの設定情報を交換して初期設定を簡単に登録し、その後、携帯機器の電源を起動させ、通信をするといった具合である。
【００１９】
この場合、携帯機器側からコンピュータと通信を開始して、コンピュータ側で既存の通信手順を起動させると、少ない環境の変更で本発明を実施することができる。より具体的には、予め初期設定が完了した携帯機器とコンピュータ間の通信において、（１）携帯機器側からコンピュータに対して通信（例えばＨＴＴＰ通信手順で）を開始する、（２）上記通信において、コンピュータ側でアプリケーションを起動させる、（３）上記アプリケーションにおいて、今度はコンピュータ側のみから通信を開始できる通信手順（例えば、ＵＰｎＰ）を開始する。即ち、コンピュータ側から携帯機器に対して上記既存の通信手順のデータ要求を送信する、（４）これ以降の通信はＵＰｎＰ手順などのコンピュータ開始の通信手順で行われる、というものである。つまり、携帯機器がコンピュータに対して既存のＵＰｎＰ等の手順を起動することを指示し、コンピュータがその指示に応じて、コンピュータからＵＰｎＰ等の既知の通信手順を起動するのである。言い換えれば、既知のＵＰｎＰ等の通信手順の前に、携帯機器が主導権をもって通信を開始する手順が加わることになる。このようにすれば、コンピュータ側からしか通信ができないという制約がある通信手順を、上記制約を逃れて利用することができる。
【００２０】
以下に、本発明の一実施形態を図面を参照して詳細に説明する。まず、無線ＬＡＮネットワークを経由して携帯機器（ここではデジタルカメラ）とコンピュータ（ここではＰＣ）間で通信をするにあたって、予め上記携帯機器と上記コンピュータ間でデータ送信を行い、通信に必要な通信設定情報を設定する設定ステップを実行する。すなわち、図１に示すように、携帯機器１０とＰＣ２０とをＵＳＢケーブルにより接続した上で、ＰＣ２０の電源をＯＮしてＰＣ２０を起動する。同様にして携帯機器１０の電源をＯＮしてＰＣ２０とのリンクを確認する。次に、機器名やアドレス等の無線接続に必要な情報を登録情報として携帯機器１０及びＰＣ２０のフォルダに格納する。最後に、携帯機器１０とＰＣ２０との接続を解放し、両者の設定が完了する。
【００２１】
設定ステップが完了した後は、携帯機器１０から、無線ＬＡＮネットワークを経由して、コンピュータ（ＰＣ２０）との通信を起動する起動ステップと、携帯機器１０から、無線ＬＡＮネットワークを経由して、コンピュータ（ＰＣ２０）と通信を行う通信ステップと、を順に実行する。
【００２２】
以下に、この起動ステップと通信ステップの詳細を図２及び図３を参照して説明する。図２は、携帯機器１０とＰＣ２０とが起動ステップと、通信ステップとを実行するときのシステム構成を示す図である。図３は、携帯機器１０とＰＣ２０とが起動ステップ（Ａで示される部分）と、通信ステップ（Ｂで示される部分）とを実行するときのメッセージフローを示す図である。なお、Ａの部分は、ＨＴＴＰ（Hypertext transfer protocol）に基づく本発明による通信プロセスであり、Ｂの部分は、ＵＰｎＰ仕様に基づく従来の通信プロセスである。
【００２３】
まず、Ａで示される通信プロセスについて説明する。携帯機器１０は自身が所持しているクライアントソフトを起動してＰＣ２０に接続要求を送信する（ステップＳ１）。ＰＣ２０内のサーバアプリケーション２０−１はこれを受信してサーバ応答メッセージを携帯機器１０に返信する（ステップＳ２）。携帯機器１０は所定のアプリケーションを起動する旨の要求をＰＣ２０に送信するとともに、データ送信の準備をする（ステップＳ３）。ＰＣ２０内のサーバアプリケーション２０−１は前記要求を受けて当該アプリケーション１（２０−２）を起動する（ステップＳ４）。
【００２４】
次に、Ｂで示される通信プロセスについて説明する。サーバアプリケーション２０−１は携帯機器１０に対してデータ送信の要求を行う（ステップＳ５）。携帯機器１０はこのデータ送信要求を受けて（ステップＳ６）、所定のデータをＰＣ２０に送信する（ステップＳ７）。ＰＣ２０は、当該データを受信し（ステップＳ８）。その後、送信処理を終了する旨の通知を携帯機器１０に送信する（ステップＳ９）。携帯機器１０はこの通知を受けて終了処理を行う（ステップＳ１０）。これにより、携帯機器１０の電源は自動的にオフされる（ステップＳ１１）。
【００２５】
上記した方法によれば、予め携帯機器１０とＰＣ２０間で通信設定をしておくようにしたので、通信開始時にコンピュータ側で必要とされる処理量を低減することができる。また、携帯機器１０からコンピュータとの通信を起動することが可能になるので、携帯機器１０は、ＰＣ２０と通信を行うときに限って電源をＯＮし、それ以外は電源をＯＦＦすることができ、消費電力を軽減することができる。
【図面の簡単な説明】
【００２６】
【図１】通信に必要な通信設定情報を設定するために、携帯機器１０とＰＣ２０とをＵＳＢケーブルにより接続した図である。
【図２】携帯機器１０とＰＣ２０とが起動ステップが通信を行うときのシステム構成を示す図である。
【図３】携帯機器１０とＰＣ２０とが起動ステップ（Ａで示される部分）と、通信ステップ（Ｂで示される部分）とを実行するときのメッセージフローを示す図である。
【符号の説明】
【００２７】
１０  携帯機器
２０  ＰＣ（パーソナルコンピュータ）
２０−１  サーバアプリケーション
２０−２  アプリケーション１
【図１】
2006157396.tif 000003
【図２】
2006157396.tif 000004
【図３】
2006157396.tif 000005